(57)【要約】【課題】ユーザ自身が、操作子に割り当てる機能を、できるだけ手軽で簡単に変更できるようにする。【解決手段】操作子に対応してシート収納部を設ける。シート収納部に、操作命令内容情報を記憶したRFIDチップを備える操作設定シートを収納すると、シート収納部側のリーダにより操作命令内容情報が読み出され、これをシステム側で保持するようにされる。システムは操作子に対する操作が行われると、この操作子に対応して保持している操作命令内容情報に応じた命令コードを機能ブロックに出力するようにされる。このような構成により、シート収納部に収納する操作設定シートを入れ替えることで、操作子に割り与える機能が容易に変更可能になる。【選択図】図４
2008171188.tif 000002
【特許請求の範囲】
【請求項１】
操作子と、
所定の外形形状を有する操作命令内容割当部品と、
上記操作命令内容割当部品に対して設けられ、この操作命令内容割当部品に割り当てるべき特定の操作命令内容を示す操作命令内容情報を記憶する記憶部と、
上記操作命令内容割当部品に対して設けられる第１の通信部と、
上記操作子ごとに対応するようにして設けられ、上記操作命令内容割当部品を取り付けるための構造を有する部品取付部と、
上記部品取付部ごとに対応して備えられ、上記操作命令内容割当部品が対応する部品取付部に取り付けられた状態において上記第１の通信部との通信が可能なようにして設けられる第２の通信部と、
上記記憶部に記憶されている操作命令内容情報が示す操作命令内容についての通知を、上記第１の通信部から上記第２の通信部へのデータ送信として実行させる送信制御手段と、
上記第２の通信部にて取得された上記通知に基づいて、送信元の第１の通信部が設けられる上記操作命令内容割当部品が対応する操作命令内容を認識する操作命令内容認識手段と、
上記操作子に対して行われた操作を検知したときに、上記操作命令内容認識手段により認識された操作命令内容として、この操作が検知された操作子に対応して認識された操作命令内容に対応する実行命令を、所定の機能を実現するようにして構成される所定機能部に対して出力する命令出力手段と、
を備えることを特徴とする操作入力システム。
【請求項２】
上記送信制御手段は、
上記通知のためのデータ送信を周期的に実行させるようにされている、
ことを特徴とする請求項１に記載の操作入力システム。
【請求項３】
上記操作命令内容認識手段は、
操作命令内容を認識した結果として、上記第２の通信部により取得した上記通知により認識した操作命令内容を示す情報項目を、上記操作子ごとに対応させて保持するようにされる、
ことを特徴とする請求項２に記載の操作入力システム。
【請求項４】
上記送信制御手段は、
操作命令内容についての認識を実行させるための操作を検知したことに応じて、上記第２の通信部から第１の通信部を経由して操作命令内容についての通知を要求する要求手段と、
上記操作命令内容の要求に応答して、上記記憶部に記憶される操作命令内容についての通知を、上記第１の通信部から上記第２の通信部へのデータ送信として実行する通知送信手段とを有して成る、
ことを特徴とする請求項１に記載の操作入力システム。
【請求項５】
上記操作命令内容認識手段は、
操作命令内容を認識した結果として、上記第２の通信部により取得した上記通知により認識した操作命令内容を示す情報項目を、上記操作子ごとに対応させて保持するようにされる、
ことを特徴とする請求項４に記載の操作入力システム。
【請求項６】
上記送信制御手段は、
上記操作子に対して行われた操作を検知したことに応じて、この操作が検知された操作子に対応する第２の通信部から第１の通信部を経由して操作命令内容についての通知を要求する要求手段と、
上記操作命令内容の要求に応答して、上記記憶部に記憶される操作命令内容についての通知を、上記第１の通信部から上記第２の通信部に対して送信する通知送信手段とを有して成る、
ことを特徴とする請求項１に記載の操作入力システム。
【請求項７】
上記記憶部に記憶される操作命令内容を形成する情報要素として、対応する操作命令内容割当部品に割り当てられた操作種別を示す操作種別指示情報と、操作子に対して行われた単位操作量に対する制御量を示す制御量情報とを少なくとも有するようにされるとともに、
上記操作命令内容認識手段は、操作命令内容として、上記操作種別指示情報が示す操作種別と、制御量情報が示す制御量を認識するようにされ、
上記命令出力手段は、上記操作命令内容認識手段により認識された操作種別と制御量とに基づいて生成した命令を出力するようにされる、
ことを特徴とする請求項１に記載の操作入力システム。
【請求項８】
操作子と、
上記操作子ごとに対応するようにして設けられるもので、割り当てが為された特定の操作命令内容を示す操作命令内容情報を記憶する記憶部及び第１の通信部を備える所定の外形形状の操作命令内容割当部品を取り付けるための構造を有する部品取付部と、
上記部品取付部ごとに対応して備えられ、上記操作命令内容割当部品が対応する部品取付部に取り付けられた状態において上記第１の通信部との通信が可能なようにして設けられる第２の通信部と、
上記記憶部に記憶されている操作命令内容情報が示す操作命令内容についての通知を、上記第１の通信部から上記第２の通信部へのデータ送信として実行させる送信制御手段と、
上記第２の通信部にて取得された上記通知に基づいて、送信元の第１の通信部が設けられる上記操作命令内容割当部品が対応する操作命令内容を認識する操作命令内容認識手段と、
上記操作子に対して行われた操作を検知したときに、上記操作命令内容認識手段により認識された操作命令内容として、この操作が検知された操作子に対応して認識された操作命令内容に対応する実行命令を、所定の機能を実現するようにして構成される所定機能部に対して出力する命令出力手段と、
を備えることを特徴とする操作入力装置。
【発明の詳細な説明】
【技術分野】
【０００１】
本発明は、ユーザ操作を入力して、例えばこれに応答した機器の動作が実行されるようにするための命令出力を為すようにされた操作入力システムと、操作入力装置とに関するものである。
【背景技術】
【０００２】
RFIDの技術が知られており、また広く利用されるようになってきている。RFIDは、Radio Frequency IDentificationの略称であり、RFIDタグなどといわれる微少サイズの無線ICチップに、自己を識別するコード（ID）などを記憶させておいたうえで、このRFIDタグと、所定の目的に対応するシステムとで電波による無線通信を行うようにされたものである。
【０００３】
このRFID技術は、流通などにおける商品管理などをはじめとして、現在、多様な分野で利用が考えられ、また、実用化されている状況にあるが、適用分野として主要なものの１つとして、操作入力システムを挙げることができる。
例えば特許文献１には、操作入力システムとして、スイッチの操作に応じて無線タグ(RFIDタグ)からのデータ送信がオン／オフされるようにしたリモコン(リモートコントローラ)の構成が記載されている。この構成により、例えば、大容量のデバイスを不要としている。また、機能の変更、追加については、リーダ／ライタにより無線タグのデータを書き換える、また、新規機能に対応したデータを書き込んだ無線タグを付加するとことで容易に行えるようにされる。
【０００４】
【特許文献１】特開２００５−９００６２号公報
【発明の開示】
【発明が解決しようとする課題】
【０００５】
本発明としても、操作入力システムにRFIDタグを適用した操作入力システムの構成を基本とする。そのうえで、操作子に対応させる機能（操作命令内容）の変更について、より簡易に行えるようにして、ユーザにとっての利便性もさらに向上されるようにすることを目的とするものである。
【課題を解決するための手段】
【０００６】
そこで本発明は、上記した課題を考慮して、操作入力システムとして次のように構成することした。
つまり、操作子と、所定の外形形状を有する操作命令内容割当部品と、この操作命令内容割当部品に対して設けられ、この操作命令内容割当部品に割り当てるべき特定の操作命令内容を示す操作命令内容情報を記憶する記憶部と、操作命令内容割当部品に対して設けられる第１の通信部と、操作子ごとに対応するようにして設けられ、操作命令内容割当部品を取り付けるための構造を有する部品取付部と、この部品取付部ごとに対応して備えられ、操作命令内容割当部品が対応する部品取付部に取り付けられた状態において第１の通信部との通信が可能なようにして設けられる第２の通信部と、記憶部に記憶されている操作命令内容情報が示す操作命令内容についての通知を、第１の通信部から上記第２の通信部へのデータ送信として実行させる送信制御手段と、第２の通信部にて取得された通知に基づいて、送信元の第１の通信部が設けられる操作命令内容割当部品が対応する操作命令内容を認識する操作命令内容認識手段と、操作子に対して行われた操作を検知したときに、操作命令内容認識手段により認識された操作命令内容として、この操作が検知された操作子に対応して認識された操作命令内容に対応する実行命令を、所定の機能を実現するようにして構成される所定機能部に対して出力する命令出力手段とを備えることとした。
【０００７】
また、操作入力装置については次のように構成することとした。
つまり、操作子と、この操作子ごとに対応するようにして設けられるもので、割り当てが為された特定の操作命令内容を示す操作命令内容情報を記憶する記憶部及び第１の通信部を備える所定の外形形状の操作命令内容割当部品を取り付けるための構造を有する部品取付部と、この部品取付部ごとに対応して備えられ、操作命令内容割当部品が対応する部品取付部に取り付けられた状態において第１の通信部との通信が可能なようにして設けられる第２の通信部と、記憶部に記憶されている操作命令内容情報が示す操作命令内容についての通知を、第１の通信部から第２の通信部へのデータ送信として実行させる送信制御手段と、第２の通信部にて取得された通知に基づいて、送信元の第１の通信部が設けられる操作命令内容割当部品が対応する操作命令内容を認識する操作命令内容認識手段と、操作子に対して行われた操作を検知したときに、操作命令内容認識手段により認識された操作命令内容として、この操作が検知された操作子に対応して認識された操作命令内容に対応する実行命令を、所定の機能を実現するようにして構成される所定機能部に対して出力する命令出力手段とを備えて構成することとした。
【０００８】
上記各構成では、操作命令内容割当部品について特定の操作命令内容を割り当てることとしたうえで、その割り当てられた操作命令内容が何であるのかを示す情報である操作命令内容情報を記憶させると共に、第１の通信部を備えることで通信機能が与えられている。第１の通信部は、操作命令内容割当部品を部品取付部に取り付けた状態とされることで、この部品取付部に対応して設けられた第２の通信部との通信が可能なようにされている。
また、部品取付部は、特定の操作子に対応して設けられており、従って、１つの操作子に対して、部品取付部と、第２の通信部とが対応付けられていることになる。そこで、部品取付部に操作命令内容割当部品が取り付けられた状態の下、操作命令内容割当部品側と部品取付部側との通信により、操作命令内容割当部品が記憶する操作命令内容情報が示す操作命令内容についての通知を実行させ、この通知に基づいて操作命令内容割当部品に割り当てられた操作命令内容を認識するようにされる。
そして、操作子に対する操作が行われたときには、この操作子に対応して認識した操作命令内容に基づいた命令を所定機能部に対して出力するようにされている。
このような構成であれば、部品取付部に対して取り付ける操作命令内容割当部品を交換することにより、その部品取付部に対応する操作子の操作命令内容が変更されることになる。つまり、操作子に割り当てる機能（操作命令内容）の変更を、その操作子に対応する部品取付部に対して取り付けるべき操作命令内容割当部品の変更、入れ替えにより行うことが可能になる。
【発明の効果】
【０００９】
このようにして本発明は、操作子に割り当てるべき機能を、対応する部品取付部に取り付ける操作命令内容割当部品の交換という作業により変更設定できる。つまり、例えばリーダ／ライタなどの機器をわざわざ用意して操作しなくとも、ユーザ自身が、手軽で簡単に操作子に割り当てる機能を変更できるわけであり、操作入力システムの利便性がこれまでよりも高まるものである。
【発明を実施するための最良の形態】
【００１０】
以降、本願発明を実施するための最良の形態（以下、実施の形態という）について説明を行っていくこととする。ここで、本実施の形態としては、本願発明に基づく操作入力システムを、ビデオ又はオーディオなどのコンテンツの記録再生が可能な記録再生装置に適用しているものとする。
【００１１】
先ず、図１（ａ）においては、本実施の形態の記録再生装置の本体において設けられる操作パネル１の一部が示されている。この図に示される操作パネル１の部位においては、第１ボタンキー２−１、第２ボタンキー２−２、第３ボタンキー２−３の３つのボタンキーが横方向に並ぶようにして配置されている。なお、以降において、これらのボタンキーについて特に区別しない場合には、ボタンキー２と表記する場合がある。
【００１２】
例えば第１ボタンキー２−１は、図１（ａ）と図２の下側において示されるように、キー本体部２ａと、シート収納部２ｂが組み合わされて成るものとされる。キー本体部２ａは、図１（ａ）における矢印Ｙにより示されるように、操作パネル１の手前方向から押圧するようにして操作すべきものとされている。
シート収納部２ｂは、キー本体部２ａに対して、その前面に対して固定的に取り付けられるもので、この場合には、上側の断面がコの字状となる箱形状とされている。そして、キー本体部２ａへの取り付けが行われた状態では、上側に開口部２ｃを有したスリット２ｄが形成されるようになっている。
なお、残る第２ボタンキー２−２、第３ボタンキー２−３も、上記と同様にしてキー本体部２ａとシート収納部２ｂとが組み合わされて成る。
【００１３】
また、図１（ａ）には、ボタンキー２が３つとされていることに対応して、３枚の操作設定シート３−１、３−２、３−３が示されている。なお、以降の説明において、これらの操作設定シートについて特に区別しない場合には、操作設定シート３と表記する場合がある。
【００１４】
操作設定シート３は、例えば樹脂などにより、図２に示されるＲＦＩＤユニット部２０をモールドするようにして形成されており、上記のシート収納部２ｂのスリット２ｄに対して適切に出し入れ（取り付け／取り外し）することができるようなシート厚、外形形状を有するようにされている。
そのうえで、操作設定シート３の各々に対しては、それぞれが異なる操作命令内容を割り当てることとしている。この場合には、操作命令内容として、操作設定シート３−１には「再生」を、操作設定シート３―２には「停止」を、操作設定シート３−３には、「記録」を割り当てることとしている。これに応じて、操作設定シート３−１、３−２、３−３の表面には、それぞれ「再生」「停止」「記録」を示すマーク（操作命令内容マーク）が描かれている。
これらの操作設定シート３は、例えば、記録再生装置を購入したときに付属しているものとされる。
【００１５】
そして、操作設定シート３の各々は、ユーザが、任意のボタンキー２のシート収納部２ｂに対して収納させるようにして取り付けるべきものとされている。つまり、１つの操作設定シート３を、１つのボタンキー２に対して取り付けるべきものとされている。
そこで、例えばユーザが、図１（ａ）の矢印Ａに示すようにして、操作設定シート３−１については第１ボタンキー２−１に対して取り付け、操作設定シート３−２については第２ボタンキー２−２に対して取り付け、操作設定シート３−３については第３ボタンキー２−３のシート収納部２ｂに対して取り付けたとする。すると、図１（ｂ）に示すようにして、第１ボタンキー２−１においては、操作設定シート３−１の操作命令内容マークが前面にて見えるような状態となる。つまり、第１ボタンキー２−１は、操作命令内容が「再生」のボタンキーであることを明示する状態となる。同様にして、第２ボタンキー２−２については操作設定シート３−２の操作命令内容マークが前面に見えるようになることで「停止」のボタンキーであることを明示し、第３ボタンキー２−３については操作設定シート３−３の操作命令内容マークが前面に見えるようになることで「停止」のボタンキーであることを明示する状態となる。
【００１６】
そして、本実施の形態においては、上記図１（ｂ）に示す状態の下で、ボタンキー２−１に対する操作を行ったとされると、記録再生装置において再生を開始する動作が実際に実行される。また、ボタンキー２−２に対する操作を行ったとされると、これまでの再生を停止する動作が実行される。さらにボタンキー２−３に対する操作を行えば、記憶媒体へのコンテンツデータなどの記録を開始する動作が実行される。
【００１７】
また、ユーザが、図１（ａ）の矢印Ｂに示すようにして、操作設定シート３−１を第３ボタンキー２−３に対して取り付け、操作設定シート３−２を第１ボタンキー２−１に対して取り付け、操作設定シート３−３を第３ボタンキー２−２のシート収納部２ｂに対して取り付けたとする。
すると、図１（ｃ）に示すようにして、第１ボタンキー２−１においては、操作設定シート３−２の操作命令内容マークが前面にて見えることになり、従って、第１ボタンキー２−１の操作命令内容が「停止」のボタンキーであることを明示する状態となる。同様にして、第２ボタンキー２−２については操作設定シート３−３の操作命令内容マークが前面に見えるようになることで「記録」のボタンキーであることを明示し、第３ボタンキー２−３については操作設定シート３−１の操作命令内容マークが前面に見えるようになることで「再生」のボタンキーであることを明示する状態となる。
そして、上記図１（ｃ）に示す状態の下で、ボタンキー２−１に対する操作を行えば、実際に、記録再生装置において、これまでの再生を停止する動作が実行される。また、ボタンキー２−２に対する操作を行ったとされると、記録を開始する動作が得られ、ボタンキー２−３に対する操作を行えば再生を開始する動作が実行される。
【００１８】
このようにして本実施の形態の記録再生装置では、ボタンキー２のシート収納部２ｂに対して操作設定シート３を収納させるようにして取り付けると、そのボタンキー２を実際に操作して得られる機能（操作命令内容）が、収納された操作設定シート３が示す操作命令内容と同じになるようにされている。
つまり、本実施の形態の記録再生装置では、ボタンキー２ごとに対する操作命令内容の割り当て（キーアサイン）について、ユーザが、自身の好みや、記録再生装置の使用環境などに応じて、任意に変更設定することが可能とされている。そして、そのキーアサインの行い方としては、ユーザが、或る特定の操作命令内容を設定したいと思ったボタンキー２を対象として、このボタンキー２のシート収納部２ｂに対して、設定したい操作命令内容が示される操作設定シート３を収納するようにして取り付けるというものになる。
例えば、先の特許文献１などでも、無線タグのデータの書き換えによりスイッチに対応する機能の変更を比較的に容易に行えるのではあるが、この場合には無線タグに対応するリーダ／ライタを使用することになり、例えばユーザがこれを行おうとする場合には、リーダ／ライタの操作が行える程度の情報処理機器などに関する知識をユーザが有していることなどが必要になる。このために、ユーザ自身が気軽にキーアサインを行えることを考慮した場合には、必ずしも手軽であるとはいえず、また、キーアサインを行えるユーザも限られてくることになる。
これに対して本実施の形態であれば、上記もしたように、ボタンキー２のシート収納部２ｂに対して操作設定シート３を収納するという作業によりキーアサインが行える。このようにして、本実施の形態では、非常に簡易で分かりやすい作業でのキーアサインが可能な電子機器、操作入力システムを提供しているものである。
また、例えばキーアサインの仕方として、操作子自体を交換、再配置するような構成も考えられるのであるが、これと比較すれば、本実施の形態では、操作設定シート３の交換、再配置でよいために、より用意で手軽なキーアサインとなる。また、操作設定シート３に相当する部品としては、後述するようにして、RFIDチップを備えることで、その機能が実現されることから、軽量小型なものとして形成することができるので、例えば運搬なども容易で、収納スペースも小さくて済む。
【００１９】
以降、上記した本実施の形態としての記録再生装置におけるキーアサインを実現するための技術的構成例について説明を行っていくこととする。
先ず、本実施の形態の操作設定シート３は、RFID(Radio Frequency IDentification)タグなどといわれる無線ICチップとしての構成を有するものとされる。つまり、例えば図２の上側に示しているように、操作設定シート３は、その本体内においてRFIDユニット部２０を内蔵するようにして形成される。例えば操作設定シート３の本体が樹脂によるシート形状を有しているものとすれば、このシート形状の樹脂の中にモールドされるような態様でRFIDユニット部２０が備えられることになる。RFIDユニット部２０は、RFIDチップ２１とアンテナ２２から成るものとされる。
【００２０】
図３に、上記RFIDユニット部２０についての構成例を、RFIDチップ２１の内部構成例とともに示す。
RFIDチップ２１は、例えばICチップなどといわれる微少サイズのチップとしての外形形状を有するものとされ、その内部の回路構成としては、図示するようにして、通信部３１、メモリ３２、及び制御部３３から成るものとされる。
通信部３１は、アンテナ２２を経由してリーダ／ライタ側との間での通信を所定の無線通信方式により実行するための回路部位とされる。
メモリ３２は、不揮発性の所定のメモリ素子を備えて構成されるもので、一般的には、そのRFIDチップ(タグ)のＩＤを少なくとも保持するための記憶領域とされる。本実施の形態としては、操作命令内容情報Ｄ１を少なくとも保持するものとされる。操作命令内容情報Ｄ１は、自身が備えられる操作設定シート３に対して割り当てた操作命令内容が何であるのかを示す情報とされる。
制御部３３は、例えばＣＰＵ(Central Processing Unit)と、このＣＰＵが実行すべきプログラムなどを記憶するＲＯＭと、ＣＰＵのための主記憶装置としてのＲＡＭなどから成るマイクロコンピュータを備えて構成され、通信部３１の通信動作についての制御やメモリ３２に対するデータの書き込み、読み出しなどをはじめとする、RFIDチップ２１における各種動作についての制御処理を実行する。
なお、RFIDチップ２１が動作するための電源は、例えば、アンテナ経由でリーダ／ライタ側から伝送される電力を利用するようにされればよい。また、このような非接触電力伝送の技術については、これまでに知られている方式、或いは将来的に採用されることとなる方式に従った構成を採用すればよい。また、RFIDユニット部２０にバッテリを組み込むような形態としてもよい。
【００２１】
説明を図２に戻す。
この図２に示されるキー本体部２ａには、例えばループ型のアンテナ１１が埋め込まれるようにして取り付けられている。このアンテナ１１は、RFIDユニット部２０に対してリーダとなるデバイスであるシート対応通信装置１２側のアンテナとなるもので、操作設定シート３がボタンキー２のシート収納部２ｂに収納された状態において、収納された操作設定シート３のアンテナ２２との間での通信可能距離が確保され、かつ、他の操作設定シート３のアンテナ２２との間での混信が生じないようにして設けられる。即ち、操作設定シート３がボタンキー２のシート収納部２ｂに収納されることで、例えばシート対応通信装置１２(リーダ)からRFIDチップ２１への電力伝送と、シート対応通信装置１２とRFIDチップ２１との間での通信が可能となる。
なお、確認のために述べておくと、この実施の形態においては、操作設定シート３を収納する部位と、操作子(ボタンキー)とが一体化された構造を有していることに応じて、キー本体部２ａ側にアンテナ２２が取り付けられているが、アンテナ２２は操作設定シート３を収納する部位ごとに対応して設けられるべきものとされる。
【００２２】
図４は、本実施の形態の記録再生装置１００についての操作入力に関連した部位を主体とする構成を示している。なお、この図において、図１〜図３に示した部位と同一とされる部位については同一符号を付している。また、この図においては、記録再生装置において設けられる操作子のうち、図１に示した第１ボタンキー２−１、第２ボタンキー２−２、及び第３ボタンキー２−３に対応した操作入力関連の部位の構成を抜き出して示している。
【００２３】
この図から分かるように、例えば第１ボタンキー２−１は、オン／オフスイッチとしての構造を有するものとされており、押圧操作が為されていない状態ではオフで、押圧操作が為された状態ではオンとなるようにされている。このような押圧操作に応じたオン／オフ状態は検出器１３−１により検出されるようになっている。そして、検出器１３−１は、第１ボタンキー２−１についてのオン／オフ状態の検出に応じた検出信号を出力するようにされる。この検出信号は、操作制御部１４の端子Ｔ１１に対して入力されるようになっている。
同様にして、第２ボタンキー２−２、及び第３ボタンキー２−３も、オン／オフスイッチとしての構造を有して、そのオン／オフ状態は、検出器１３−２、１３−３により検出されるようになっている。検出器１３−２の検出信号は、操作制御部１４の端子Ｔ１２に対して入力され、検出器１３−３の検出信号は、操作制御部１４の端子Ｔ１３に対して入力されるようになっている。
【００２４】
また、ボタンキー２のシート収納部２ｂに対応しては、先の説明のようにして、１組のアンテナ１１とシート対応通信部１２から成るリーダ機能を有する部位（リーダデバイス）が備えられる。
この図では、先ず、第１ボタンキー２−１のシート収納部２ｂに対応するリーダデバイスとして、アンテナ１１−１及びシート対応通信部１２−１が示される。先の説明に従い、シート対応通信部１２−１は、アンテナ１１−１を経由して、ボタンキー２−１のシート収納部２ｂに収納された操作設定シート３内のRFIDユニット部２０と通信を行うようにされる。
また、シート対応通信部１２−１は、記録再生装置１００の内部にて操作制御部１４の端子Ｔ１と接続されることで、操作制御部１４と通信可能なようにされる。
【００２５】
また、同様にして、第２ボタンキー２−２のシート収納部２ｂに対応しては、リーダデバイスとしてのアンテナ１１−２及びシート対応通信部１２−２が設けられ、このリーダデバイスは、第２ボタンキー２−２のシート収納部２ｂに収納された状態の操作設定シート３内のRFIDユニット部２０と通信可能とされる。また、シート対応通信部１２−２は、操作制御部１４の端子Ｔ２と接続されることで、操作制御部１４と通信可能なようにされる。
同様に、第３ボタンキー２−３のシート収納部２ｂに対応しては、アンテナ１１−３及びシート対応通信部１２−３から成るリーダデバイスが、第３ボタンキー２−３のシート収納部２ｂに収納された状態の操作設定シート３内のRFIDユニット部２０と通信可能とされる。また、シート対応通信部１２−３は、操作制御部１４の端子Ｔ３と接続されることで、操作制御部１４と通信可能なようにされる。
【００２６】
操作制御部１４は、後述するようにして、各シート対応通信部１２と通信を行うことで得た、ボタンキー２ごとにアサインされた操作命令内容についての情報と、検出器１３から出力されるボタンキー２のオン／オフ状態についての検出信号に基づいて、ボタンキー２のそれぞれに対して行われた操作に応答した適正な命令(コマンド)を機能ブロック１６に対して出力するようにして動作する。つまり、ボタンキー２に対して行われた操作入力に応答した制御を実行するようにして構成された部位とされる。
また、第１の実施の形態にあっては、操作制御部１４は、メモリ部１５にアクセス可能なようにされている。メモリ部１５は、キー／命令テーブルＴＢ１を保持しておくための領域とされる。キー／命令テーブルＴＢ１は、後述するようにして、ボタンキー２の各々にアサインされた操作命令内容を示す情報を格納して形成されるテーブル情報とされる。
なお、操作制御部１４は、例えば記録再生装置１００としてのシステム制御を実行するマイクロコンピュータが、操作入力に関するプログラムを実行することにより実現される機能であるものとされる。また、これに応じて、キー／命令テーブルＴＢ１を保持するメモリ部１５の実際としても、例えば上記マイクロコンピュータが備えるとされるＲＡＭの一部記憶領域を使用すればよいものとされる。後述するキー／命令テーブルＴＢ１の作成、保持のためのアルゴリズムからも理解されるように、キー／命令テーブルＴＢ１については、記録再生装置１００のメイン電源オン時において逐次生成、更新されるべきものとされ、記録再生装置１００の電源が停止された後も保持しておくことの必要性は特にない。そこで、メモリ部１５としては揮発性のメモリデバイスを利用すればよいということになる。
【００２７】
機能ブロック１６は、記録再生装置１００において、主として記憶媒体へのデータの記録再生に関する機能のために構成された部位を一括して示したものとされる。操作制御部１４は、ボタンキー２に対して行われた操作に応答して、後述するようにして、しかるべき命令(コマンド)を機能ブロック１６に出力するようにされる。機能ブロック１６は、入力された命令に応じた動作を実行するようにされる。このようにして、ユーザが行ったとされる操作に応答した記録再生装置１００の動作が得られるものである。
【００２８】
なお、更新キー１７については、後述する第２の実施の形態において設けられるべきものとされるので、ここでの説明は省略する。
【００２９】
上記実施の形態の構成を前提として、本願発明における第１の実施の形態についての説明を行う。
図５のフローチャートは、第１の実施の形態に対応するもので、記録再生装置１００における操作制御部１４が、ボタンキー２にアサインされた操作命令内容（ボタンキー２ごとに対応してどのような操作設定シート３が取り付けられたのか）を識別できるようにするための処理手順例を示している。この図に示す処理としては、１つのボタンキー２に対応する一組のRFIDチップ２１、シート対応通信部１２、及び操作制御部１４が連携して実行すべきものとされる処理手順がそれぞれ示される。
【００３０】
先ず、RFIDチップ２１は、例えば自身を有する操作設定シート３が或るボタンキー２のシート収納部２ｂに収納されていることで、そのシート収納部２ｂに対応するシート対応通信部１２と通信可能な（電力供給が行われている）状態にあっては、図示する手順を実行するようにされる。
つまり、ステップＳ１０１により自身のメモリ３２に記憶されている操作命令内容情報の読み出しを実行し、ステップＳ１０２より、この読み出した操作命令内容情報を、シート対応通信部１２側に対して送信する。そして、このステップＳ１０１、Ｓ１０２の手順を、ステップＳ１０３により一定時間待機したうえで、繰り返し実行するようにされる。つまり、第１の実施の形態としては、RFIDチップ２１より、自発的に、一定時間ごとの間隔で周期的に操作命令内容情報を送信出力するようにされる。
【００３１】
シート対応通信部１２は、ステップＳ２０１により、RFIDチップ２１から送信される操作命令内容情報が受信されるのを待機しており、操作命令内容情報を受信すると、ステップＳ２０２により、この受信した操作命令内容情報を操作制御部１４に出力する。
【００３２】
操作制御部１４は、ステップＳ３０１にて、シート対応通信部１２からの操作命令内容情報が入力されるのを待機し、操作命令内容情報が入力されると、ステップＳ３０２により、入力して取り込んだ操作命令内容情報を、メモリ部１５にて保持しているキー／命令テーブルＴＢ１に登録するようにされる。このときには、操作命令内容情報の出力元のシート対応通信部１２に対応する操作子番号に対応させて、入力した操作命令内容情報を登録するようにされる。操作命令内容情報の出力元が、シート対応通信部１２−１、１２−２、１２−３の何れであるのかについては、端子Ｔ１、Ｔ２、Ｔ３の何れの端子から操作命令内容情報が入力されてきたのかを認識したことに応じて判定できる。
【００３３】
第１の実施の形態としては、上記図５に示した処理手順が、ボタンキー２−１、２−２、２−３ごとに対応して実行される。つまり、ボタンキー２−１、２−２、２−３に対応するシート収納部２ｂに収納された操作設定シート３のRFIDチップ２１から、それぞれ、対応するシート対応通信部１２に対して、一定時間ごとの周期で操作命令内容情報を送信するようにされる。そして、各シート対応通信部１２は、受信した操作命令内容情報を操作制御部１４に出力し、操作制御部１４では、操作命令内容情報が入力されるごとに、出力元のシート対応通信部１２に対応した操作子番号に対応付けるようにして、操作命令内容情報の登録を行う。
【００３４】
上記図５の処理が実行されることで形成されるキー／命令テーブルＴＢ１の内容例を、図６に示す。
先ず、図６（ａ）は、図１（ｂ）に示した状態で操作設定シート３を取り付けた場合に形成されるキー／命令テーブルＴＢ１の内容を示している。
先に述べたように、図１（ｂ）の場合には、ボタンキー２−１に対応して「再生」の操作命令内容の操作設定シート３−１が取り付けられ、ボタンキー２−２に対応して「停止」の操作命令内容の操作設定シート３−２が取り付けられ、ボタンキー２−３に対応して「記録」の操作命令内容の操作設定シート３−３が取り付けられている。
また、操作設定シート３−１内のメモリ３２には、操作命令内容が「play（再生）」であることを示す操作命令内容情報が記憶され、操作設定シート３−２内のメモリ３２には、操作命令内容が「stop（停止）」であることを示す操作命令内容情報が記憶され、操作設定シート３−３内のメモリ３２には、操作命令内容が「記録(rec)」であることを示す操作命令内容情報が記憶される。
【００３５】
すると、図５の手順に従った場合、ボタンキー２−１に対応しては、操作設定シート３−１内のRFIDチップ２１が「play」を示す操作命令内容情報を送信し、ボタンキー２−２に対応しては、操作設定シート３−２内のRFIDチップ２１が「stop」を示す操作命令内容情報を送信し、ボタンキー２−３に対応しては、操作設定シート３−３内のRFIDチップ２１が「rec」を示す操作命令内容情報を送信することになる。そして、ここでボタンキー２−１、２−２、２−３の操作子番号をそれぞれ１、２、３として規定したとすると、操作制御部１４が上記の３つのボタンキー２ごとに対応して入力されてくる操作命令内容情報に応じてステップＳ３０２の処理を実行することによっては、図６（ａ）に示される内容のキー／命令テーブルＴＢ１が形成されることになる。つまり、操作子番号１（ボタンキー２−１）には操作命令内容として「play」が対応付けられ、操作子番号２（ボタンキー２−２）には操作命令内容として「stop」が対応付けられ、操作子番号３（ボタンキー２−３）には操作命令内容として「rec」が対応付けられた内容を有するようにされる。
【００３６】
なお、図５の処理手順は、例えば図１（ｂ）に示した操作設定シート３の取り付けの状態が継続されている状態であっても、ステップＳ１０３にて規定される一定時間ごとに繰り返し実行されることになるが、この場合には、ステップＳ３０２にて前回と同じ操作命令内容を上書きするようにして登録することになるために、結果的には、それ以前と同じテーブル内容が維持されることになる。そのうえで、例えばユーザが操作設定シート３を入れ替えて取り付けるようなことを行ったとすれば、その後において図５の手順が何度か実行されることで、キー／命令テーブルＴＢ１の内容は、操作設定シート３を入れ替えた後の状態に合致したものとなるわけである。
【００３７】
そして、例えば図１（ｂ）の状態から、図１（ｃ）の状態となるように操作設定シート３を入れ替えて取り付けたとする。すると、この入れ替えを完了して後に、図５の手順が各ボタンキー２に対応する系ごとに実行される結果、キー／命令テーブルＴＢ１としては、図６（ｂ）に示される内容に変更される。つまり、操作子番号１（ボタンキー２−１）には操作命令内容として「stop」が対応付けられ、操作子番号２（ボタンキー２−２）には操作命令内容として「rec」が対応付けられ、操作子番号３（ボタンキー２−３）には操作命令内容として「play」が対応付けられた内容を有するものとなる。
【００３８】
第１の実施の形態における操作制御部１４としては、このようにして、キー／命令対応テーブルＴＢ１を作成してメモリ部１５に保持させるようにしているが、このキー／命令テーブルＴＢ１は、ボタンキー２ごとに対応してシート収納部２ｂに取り付けられた操作設定シート３について、どのような操作命令内容が設定されているのかを示しているものであるといえる。つまり、第１の実施の形態の操作制御部１４は、キー／命令テーブルＴＢ１を作成して保持することを以て、ボタンキー２ごとに対応してシート収納部２ｂに取り付けられた操作設定シート３に設定される操作命令内容についての認識結果を得ているものである。
なお、キー／命令テーブルＴＢ１において実際に格納する操作命令内容のデータとしては、RFIDチップ２１から送信されてくる操作命令内容情報の形式のままとされてもよいし、キー／命令テーブルＴＢ１に格納するまでの所定の過程において、操作制御部１４が処理を行うのに適合した所定の形式に変換したものとされてもよい。換言すれば、RFIDチップ２１からシート対応通信部１２を介して操作制御部１４に対しては、RFIDチップ２１がメモリ３２にて保持している操作命令内容情報が示す操作命令内容が何であるのかを示す旨が通知されればよいものである。
【００３９】
次に、第１の実施の形態において、操作制御部１４が、ボタンキー２に対して行われた操作に応答して実行する処理を、図７のフローチャートにより説明する。
先ず、操作制御部１４は、ステップＳ４０１により、ボタンキー２の何れか１つ、即ち、第ｎボタンキー（２−ｎ）に対する操作が行われるのを待機しており、第ｎボタンキー（２−ｎ）に対する操作の行われたことを判別すると、ステップＳ４０２以降の手順を実行するようにされる。なお、操作制御部１４は、どのボタンキー２に対する操作が行われたのかについては、ボタンキー２に対する操作に応じて検出器１３から出力される検出信号が、端子Ｔ１１、Ｔ１２、Ｔ１３の何れから入力されたのかを検知することで認識することができる。つまり、検出信号が、端子Ｔ１１から入力されたのであれば、第１ボタンキー２−１に対する操作が行われたものとして判定し、端子Ｔ１２から入力されたのであれば、第２ボタンキー２−２に対する操作が行われたものとして判定し、検出信号が端子Ｔ１３から入力されたのであれば、第３ボタンキー２−３に対する操作が行われたものとして判定するものである。
【００４０】
ステップＳ４０２においては、キー／命令対応テーブルＴＢ１から操作子番号ｎに対応する操作命令内容を読み出すようにされる。つまり、ステップＳ４０１により操作が行われたと判別されたボタンキー２に対応して設定されている操作命令内容が何であるのかを、キー／命令テーブルＴＢ１の内容に基づいて特定するものである。
そして、次のステップＳ４０３においては、上記ステップＳ４０２により読み出した操作命令内容に対応する命令コードを生成するようにされる。この処理のためには、図示はしていないが、例えば操作制御部１４内にあるとされる不揮発性の記憶領域に、操作命令内容と命令コードとを対応付けたテーブルを格納することとして、命令コードの生成にあたっては、このテーブルを参照して、読み出した操作命令内容に対応する命令コードを読み出して取得することとすればよい。
次のステップＳ４０４では、上記ステップＳ４０３にて生成したとされる命令コードを、機能ブロック１６に対して出力する。機能ブロック１６は、先にも説明したように、このようにして操作制御部１４から出力される命令コードを入力して、その命令コード内容に応じた所定の動作を実行するようにされる。例えば、命令コードが、「play（再生）」を指示するものであるとすれば、機能ブロック１６は、記憶媒体におけるしかるべきアドレスから再生を開始するように動作を実行することになる。
【００４１】
ところで、実際においては、記録再生装置１００の動作時において、ボタンキー２のシート収納部２ｂから操作設定シート３が外される状態になることも考えられる。この状態では、そのボタンキー２に対応しては、図５に示される手順が実行されなくなる。このときに、キー／命令対応テーブルの内容として、操作設定シート３が取り付けられていたときの操作命令内容が保持されているままであると、ボタンキー２の操作を行ったときには、操作設定シート３が取り付けられていないのに、以前に取り付けた操作設定シート３に対応した操作命令内容に応答した動作が実行されてしまう、という不都合を生じる。
そこで、図示は省略するが、操作命令内容情報を一定時間以上にわたって出力してこないシート対応通信部１２がある場合には、操作制御部１４が、キー／命令対応テーブルにおいて、このシート対応通信部１２に対応する操作子番号の操作命令内容をクリアして未登録の状態とするようにされる。そのうえで、キー／命令対応テーブルにおいて操作命令内容が未登録の操作子番号に対応する操作子（ボタンキー）に対する操作が行われたとしても、操作制御部１４は、特に命令コードを出力しないものとして構成する。このようにすれば、上記の不都合は解消され、また、操作設定シート３が取り付けられていないことで、対応のボタンキーには特に操作命令内容を設定していないものとしている状態に、実際の記録再生装置１００の動作も合致するようにされる。
【００４２】
続いて、第２の実施の形態について説明する。
上記第１の実施の形態にあって、操作制御部１４が、ボタンキー２にアサインされた操作命令内容を識別する構成としては、図５に示したように、先ず、RFIDチップ２１が自発的に一定時間ごとに自身の記憶する操作命令内容情報を送信出力することとしていた。第２の実施の形態としては、ボタンキー２にアサインされた操作命令内容を操作制御部１４が識別するための構成について、第１の実施の形態と異なる態様が与えられるようにされる。
【００４３】
第２の実施の形態に対応する記録再生装置１００の構成としては、基本的に、第１の実施の形態において説明した図４の構成と同様となるのであるが、ユーザによる操作が可能な操作子として、更新キー１７が追加される。
この更新キー１７は、例えば操作パネル１における所定位置に配置されてユーザが操作可能なようにして設けられる。そして、この更新キー１７に対する操作が行われることに応答して、はじめて、操作制御部１４が、現在メモリ部１５において保持しているキー／命令対応テーブルＴＢ１を、現在のボタンキー２に対する操作命令内容のアサインの状況（ボタンキー２に対する操作設定シート３の取り付けの状態）が反映されるようにして更新するための処理を実行するようにされる。
【００４４】
図１との対応であれば、例えばユーザは、先ず図１（ａ）に示すようにして３枚の操作設定シート３を、３つのボタンキー２ごとに取り付けるようにされる。そして、この後、更新キー１７を操作するようにされる。この操作に応じて、後述するようにして操作制御部１４が処理を実行する結果、キー／命令対応テーブルＴＢ１としては、図６（ａ）に示す内容が得られることになる。
そして、この後において、ユーザが、操作設定シート３を図１（ａ）に示す状態から図１（ｂ）に示す状態に入れ替えて取り付けたとする。ここで、留意すべきことは、第２の実施の形態としては、第１の実施の形態のようにして、周期的にキー／命令対応テーブルＴＢ１の更新を実行することはないので、単に、操作設定シート３の取り付け位置を入れ替えただけでは、キー／命令対応テーブルＴＢ１の更新は行われない。そして、図１（ｂ）に示される状態となって、はじめてユーザが更新キー１７に対する操作を行ったとされると、これに応じてキー／命令対応テーブルＴＢ１を更新する処理が実行され、その結果として、キー／命令対応テーブルＴＢ１の内容は、図６（ａ）から図６（ｂ）に示す内容に変更されることになる。
この第２の実施の形態のようにしてユーザ操作に応答してはじめてキー／命令対応テーブルＴＢ１の更新を実行するように構成すれば、周期的に操作命令内容情報を送受信することは無くなるので、例えば、それだけ消費電力量を抑制することが可能になる。
【００４５】
第２の実施の形態における操作制御部１４が、更新キー１７に対して行われた操作に応答してキー／命令対応テーブルＴＢ１を更新するための処理手順例を、図８のフローチャートに示す。
この図においては、先ず操作制御部１４は、ステップＳ５０１により、更新キー１７に対する操作が行われるのを待機しており、更新キー１７に対する操作が行われたことが判別されると、ステップＳ５０２以降の手順に進む。
【００４６】
ステップＳ５０２においては、変数ｎについての初期化処理として１を代入する。変数ｎは、ボタンキー２について付した第１〜第３までの番号に対応するものであり、従って、キー／命令対応テーブルＴＢ１における操作子番号も示すことになる。
【００４７】
ステップＳ５０３においては、第ｎボタンキー（２−ｎ）に対応するシート対応通信部１２に対し、操作命令内容情報の取得（操作命令内容の通知に相当する）を要求するための要求コマンドを発行する。
上記の要求コマンドの発行に応答して、図９により後述するようにして、第ｎボタンキー（２−ｎ）に対応するシート対応通信部１２は、RFIDチップ２１から操作命令内容情報を読み出し、操作制御部１４に対して出力してくるようにされる。操作制御部１４は、ステップＳ５０４により、上記のようにして出力されてくる操作命令内容情報を入力して取得する。
そして、次のステップＳ５０５において、メモリ部１５にアクセスして、上記ステップＳ５０４により取得した操作命令内容情報を、キー／命令対応テーブルＴＢ１において操作子番号ｎに対応付けられた操作命令内容として登録するようにされる。
【００４８】
上記のようにしてステップＳ５０５までの手順を実行した後は、ステップＳ５０６にて、現在の変数ｎについて最大値であるか否かについて判別する。図１との対応であれば、変数ｎの最大値は、ボタンキー２が３つとされていることに応じて３となる。
ステップＳ５０６にて否定の判別結果が得られた場合には、ステップＳ５０７にて、変数ｎについてインクリメントしたうえで、ステップＳ５０３に戻るようにされる。このようにして、変数ｎが最大値となるまで、ステップＳ５０３〜Ｓ５０５の手順を繰り返すことで、例えばキー／命令対応テーブルとしては、操作子番号１、２、３（ボタンキー２−１、２−２、２−３）ごとについて、操作命令内容が新規に登録されることになる。つまり、そのときにおいて操作設定シート３が取り付けられている状態に合致した、キー／命令対応テーブルの内容が得られることになる。
そして、ステップＳ５０３〜Ｓ５０５の手順を、ボタンキー２の配置数だけ繰り返した結果、ステップＳ５０６にて肯定の判別結果が得られたとされると、この図に示す処理を終了するようにされる。
【００４９】
次に、上記図８のフローチャートのステップＳ５０３による操作命令内容情報の要求に対応したシート対応通信部１２及びRFIDチップ２１の処理手順例を、図９のフローチャートに示す。
先ず、シート対応通信部１２は、ステップＳ６０１にて、操作制御部１４から出力される操作命令内容情報の要求（コマンド）が入力されるのを待機しており、操作命令内容情報の要求が入力されたことを判別すると、ステップＳ６０２に進んで、RFIDチップ２１に対して、操作命令内容情報を問い合わせるためのコマンドを送信するようにされる。
【００５０】
RFIDチップ２１では、ステップＳ７０１により、シート対応通信部１２から送信される操作命令内容情報についての問い合わせのコマンドが受信されるのを待機しており、このことが判別されると、ステップＳ７０２により、メモリ３２にて記憶されている操作命令内容情報を読み出し、ステップＳ７０３により、上記問い合わせのコマンドに対するレスポンスとして、読み出した操作命令内容情報をシート対応通信部１２に対して送信する。
【００５１】
ステップＳ６０２により操作命令内容情報の問い合わせを実行したシート対応通信部１２は、ステップＳ６０３にて、そのレスポンスとしてRFIDチップ２１から送信されてくる操作命令内容情報が受信されるのを待機しており、これが受信されたことを判別すると、ステップＳ６０４に進む。
ステップＳ６０４では、受信した操作命令内容情報を操作制御部１４に対して出力するようにされる。なお、この際には、必要があれば、RFIDチップ２１から受信した操作命令内容情報の形式を、例えば操作制御部１４側が処理可能な形式に変換する処理なども実行するようにされる。操作制御部１４は、このステップＳ６０４にて出力された操作命令内容情報を、先の図８のステップＳ５０４にて取得する。
【００５２】
なお、更新キー１７の操作時において、操作設定シート３が取り付けられていないボタンキー２がある場合、操作制御部１４では、そのボタンキー２に対応する操作命令内容情報を取得できないことになるが、この場合には、先の第１の実施の形態においても述べたと同様に、キー／命令対応テーブルにおいて、対応する操作子番号の操作命令内容については未登録としておくようにされる。そして、操作制御部１４としては、未登録の場合には、対応のボタンキー２に対する操作に応じた命令コード出力は為さないようにすればよい。
また、確認のために述べておくと、第２の実施の形態にあっては、第１の実施の形態と同様にして、例えば図６に例示したキー／命令対応テーブルＴＢ１が作成されてメモリ部１５にて保持される。また、ボタンキー２が操作されたことに応答した操作制御部１４の動作も、図７と同様の処理手順を実行することになる。
【００５３】
次に、第３の実施の形態としての構成について説明する。
上記第１及び第２の実施の形態の何れにあっても、メモリ部１５に対してキー／命令対応テーブルＴＢ１を保持するようにされ、ボタンキー２の操作に応答しては、このキー／命令対応テーブルを参照して命令コードを決定するようにされている。つまり、第１及び第２の実施の形態では、ボタンキー２の操作にあたって、事前に、操作制御部１４がボタンキー２の各々にアサインされている操作命令内容を認識しておくこととする構成を採っているものである。
これに対して、第３の実施の形態としては、ボタンキー２の操作が行われる都度に、その操作が行われたボタンキー２にアサインされている操作命令内容を認識するようにされる。
【００５４】
第３の実施の形態としての操作制御部１４が実行する、ボタンキー２の操作に応答した処理手順例を、図１０のフローチャートに示す。なお、第３の実施の形態に対応する記録再生装置１００の構成としては、第１の実施の形態と同様でよいものとされる。つまり、図４において更新キー１７を省略した構成である。
【００５５】
この図１０に示す手順にあっては、先ず、ステップＳ８０１により、第ｎボタンキー（２−ｎ）に対する操作が行われるのを待機し、第ｎボタンキー（２−ｎ）に対する操作が行われたとされると、ステップＳ８０２以降の手順に移行する。
【００５６】
ステップＳ８０２においては、上記ステップＳ８０１にて操作が行われたものとして判別された第ｎボタンキー（２−ｎ）に対応するシート対応通信部１２に対し、操作命令内容情報の取得（操作命令内容の通知に相当する）を要求するための要求コマンドを発行する。
上記の要求コマンドの発行に応答しては、先に説明した図９と同様の手順により、第ｎボタンキー（２−ｎ）に対応するシート対応通信部１２が、RFIDチップ２１から操作命令内容情報を読み出して操作制御部１４に対して出力を行うようにされる。そこで、操作制御部１４は、ステップＳ８０３により、上記のようにしてシート対応通信部１２から出力された操作命令内容情報を入力して取得する。
【００５７】
ステップＳ８０４においては、例えば先の図７に示したステップＳ４０３に準じて、上記ステップＳ８０３により取得した操作命令内容情報が指示する操作命令内容に対応する命令コードを生成し、続くステップＳ８０５により、上記の命令コードを、機能ブロック１６に対して出力する。
【００５８】
このようにして、第３の実施の形態としての処理手順によれば、操作制御部１４は、ボタンキー２の操作が行われる都度に、その操作が行われたボタンキー２にアサインされている操作命令内容を認識して、これに対応する命令コードを出力するようにされる。そして、この処理手順では、命令コードの生成にあって、第１及び第２の実施の形態のようにしてキー／命令対応テーブルＴＢ１は参照していない。つまり、第３の実施の形態としての構成を採ることによっては、キー／命令対応テーブルＴＢ１を不要とすることができる。
キー／命令対応テーブルＴＢ１が不要となることで、例えば、これを保持しておくためのメモリ部１５としての記憶領域を確保しておく必要が無くなり、例えば、ＲＡＭなどの記憶領域サイズの利用が節約されて、効率的なメモリの使用が行える。なお、第１及び第２の実施の形態では、ボタンキー２に対する操作が行われる都度に操作命令内容情報の取得のためのRFIDチップ２１側との通信を行う必要がないことから、操作に対する機器動作の反応をより高速なものとすることが可能になる。
また、ボタンキー２に対する操作が行われる際のRFIDチップ２１側との通信に何らかの支障を生じる可能のある電磁的環境を想定した場合、第３の実施の形態では、通信の機会がボタンキー２に対する操作が行われたときのみとなることから、誤動作がより生じにくくなるという利点もある。
【００５９】
次に、第４の実施の形態について説明する。
図１１は、第４の実施の形態に対応した記録再生装置１００の操作パネル１の態様例を示している。
この図においては、操作パネル1上に配置される操作子として、２つのダイヤル操作子６−１、６−２が示されている。ここでは、ダイヤル操作子６−１、６−２の回転方向については、時計回りが正方向で、反時計回りが逆方向であることとしている。
【００６０】
操作パネル１においてダイヤル操作子６−１、６−２の直上となる部位には、それぞれ、シート収納部５−１、５−２が取り付けられている。この場合のシート収納部５−１、５−２は、例えば図１、図２などに示したシート収納部２ｂと同様の部材を、ボタンキー２の前面に代えて、操作パネル１上に固定的に取り付けたものとされる。この場合は開口部５ａが上側を向くようにして操作パネル１の面との間にスリット５ｂが形成されるようになっている。
上記のようにして、取り付けられるシート収納部５−１、５−２は、それぞれ、ダイヤル操作子６−１、６−２に対応しているものとされる。また、その位置関係から、ユーザも、通常は、シート収納部５−１、５−２が、それぞれ、ダイヤル操作子６−１、６−２に対応しているものとして認識する。このように、シート収納部は、何らかの操作子に対して対応付けが為される限り、先の実施の形態のようにしてボタンキーなどの操作子と必ずしも一体化される必要性はない。むしろ、ダイヤル操作子のようにして操作子そのものが操作に応じて回転するようなものの場合には、図１などに示したように操作子の前面に操作設定シート３を取り付けることとすると、操作子の回転位置によっては、操作設定シート３に描かれた操作命令内容を示すシンボル表示等が見えづらくなってしまって好ましくない。
【００６１】
また、上記のようにしてシート収納部５が操作パネル１上に配置されることに応じて、アンテナ１１及びシート対応通信部１２から成るリーダデバイスは、操作子側ではなく、シート収納部５側に対して設けるようにされる。つまり、図２に示されるキー本体部２ａに代えて、操作パネル１において、シート収納部５−１、５−２が対応する位置に、それぞれ、アンテナ１１−１、１１−２を配置して取り付けるようにされる。そのうえで、これらアンテナ１１−１、１１−２のそれぞれに対して、シート対応通信部１２−１、１２−２を接続して設けるようにされる。この態様からも分かるように、リーダデバイスにおけるアンテナは、直接的には、操作子にではなく、シート収納部に対応してその配置位置が決定されるものである。
【００６２】
そして、この場合においては、シート収納部５−１、５−２に収納すべき操作設定シート３として操作設定シート３−１１、３−１２の２つが示されている。
操作設定シート３−１１には、操作命令内容としてトラックの送り／戻しが設定されている。つまり、この場合の記録再生装置１００は、記憶媒体に記憶されるコンテンツをトラック単位で管理するものとされている。そして、「トラックの送り／戻し」とは、再生対象とするコンテンツを、予め定められたトラック再生順に従って送る、或いは戻すという操作を行うことを指すものである。
また、操作設定シート３−１２には、コンテンツの再生音量についての可変（音量調整）が設定されている。
【００６３】
そして、例えばユーザが操作設定シート３−１１、３−１２を、それぞれ、図１１（ａ）の矢印に示すようにして、シート収納部５−１、５−２のスリット５ｂ内に収納して取り付けを行い、図１１（ｂ）に示す状態にしたとする。
【００６４】
第４の実施の形態にあっても、操作子に対する操作に応じて、対応するシート収納部に取り付けられた操作設定シート３に設定した操作命令内容に対応する記録再生装置１００の動作が得られることは同様である。従って、図１（ｂ）の状態においてダイヤル操作子６−１を回転させることによっては、その回転量（及び回転方向）に応じたトラック数だけトラックの送り／戻しが記録再生装置１００により実行されることになる。また、ダイヤル操作子６−２を回転させることによっては、その回転量（及び回転方向）に応じて、再生音声の音量が増減される。
【００６５】
また、ここでの図示は省略しているが、図１１（ｂ）とは逆に、ユーザが操作設定シート３−１１をシート収納部５−２に、操作設定シート３−１２をシート収納部５−１に、それぞれ取り付けたとすれば、ダイヤル操作子６−１が音量調整のための操作子として、ダイヤル操作子６−２がトラックの送り／戻しのための操作子として、それぞれ機能することになる。
【００６６】
ところで、上記のダイヤル操作子６などのようにして、操作が行われた結果として、操作量が関係してくる場合には、操作命令内容に応じて、単位操作量に対する制御量（あるいは１ステップとしての制御量に対する操作量）を適切に設定してやることが、操作のしやすさなどを考慮した場合には必要になってくると考えられる。
【００６７】
例えば、上記図１１に挙げた、トラックの送り／戻しと、音量調整とに関すれば、先ず、トラックの送り／戻しについては、少しの回転量（相対的な回転角）でトラックの送り／戻しがされるように設定されたのでは操作を行いにくく、逆に、或る程度大きな回転角だけ回したときに、トラックが１つ送り／戻しされるようにしたほうが、一般的には操作しやすいということが考えられる。
逆に、音量調整については、或る程度大きな回転角を回してはじめて音量が１ステップ増減するように設定したのでは、音量調整のためにダイヤル操作子６を相当回転させることが必要になって使いにくくなってしまうので、相応に小さな回転量に１ステップの増減が対応させられるようにしたほうが、一般的に操作性は良いと考えられる。
【００６８】
そこで、第４の実施の形態としては、上記のようにして、ダイヤル操作子６−１、６−２に対して、トラックの送り／戻し、音量調整の何れかの操作機能（操作命令内容）設定する場合において、トラックの送り／戻し、音量調整の操作命令内容ごとに応じた適切な操作量（ダイヤル操作子の回転角）と制御量との関係が設定されるようにする。この点について、以降説明していくこととする。
なお、第４の実施の形態としての特徴は、先の第１の実施の形態、第２の実施の形態及び第３の実施の形態としての、操作子に対する操作命令内容のアサイン（ここではキーアサインともいう）、及び操作子に対する操作に応じた命令コード出力の構成の何れに対しても、組み合わせ、適用が可能とされるものであるが、以降の説明にあっては、便宜上、第１の実施の形態又は第２の実施の形態を基として、この何れかに第４の実施の形態としての構成を組み合わせた場合を前提とする。
また、第４の実施の形態に対応する記録再生装置１００の構成としては、これまでに説明してきた、図４を基とする第１、第２（及び第３の実施の形態）に対応した何れかの構成とされればよいものとされる。ただし、検出器１３の各々については、対応するダイヤル操作子６の回転角（抵抗値、電圧値）を検出し、この検出結果を示す検出信号を操作制御部１４に出力するように構成することになる。
【００６９】
先ず、図１２は、第４の実施の形態に対応して得られるキー／命令対応テーブルＴＢ１の内容例を示している。この内容は、図１１（ｂ）のようにして操作設定シート３−１１、３−１２をシート収納部５−１、５−２に収納して取り付けている場合に対応している。
この場合の操作子番号１は、ダイヤル操作子６−１を示し、操作子番号２はダイヤル操作子６−２を示す。そのうえで、これらの操作子番号に対応付けて格納される情報項目である操作命令内容としては、「命令」と「単位操作量」とのサブ情報項目から成るものとされる。この図１２の構造と、先に図６に示した構造とを比較すると、図６のキー／命令対応テーブルＴＢ１の構造では、操作子番号ごとに対応して、上記の「命令」のサブ情報項目のみが情報項目として格納されていたものである。
【００７０】
図１１（ｂ）においては、ダイヤル操作子６−１に対応するシート収納部５−１に、操作命令内容が「トラック送り／戻し」の操作設定シート３−１１が取り付けられている。これに応じて、操作子番号１に対応する操作命令内容として、先ず「命令」については、「Track_skip」が格納されて「トラック送り／戻し」であることが示される。また、「単位操作量」としては、「+30°＝+1step,-30°＝-1step」を示す情報が格納される。これは、ダイヤル操作子６を正方向に30°（+30°）回転させるごとに+1stepの変化を与え、逆方向に30°（-30°）回転させると-1stepの変化を与えることを指定しているものである。そして、トラックの送り／戻しにあっては、+1stepの制御量は、トラック順に従ってトラックを１つ送ることに相当し、-1stepの制御量は、トラック順を遡るようにしてトラックを１つ戻すことに相当する。つまり、この操作命令内容は、トラック送り／戻しについて、ダイヤル操作子６を、正方向に30°回転させるごとに、トラック順に従ってトラックを１つづつ送り、逆方向に30°回転させるごとに、トラック順を遡ってトラックを１つづつ戻すことを指示しているものである。
【００７１】
また、図１１（ｂ）にあってダイヤル操作子６−２に対応するシート収納部５−２には、操作命令内容が「音量調整」の操作設定シート３−１２が取り付けられている。
これに応じて、操作子番号２に対応する操作命令内容として、「命令」については、「Volume」が格納されて「音量調整」であることが示される。「単位操作量」としては、「+5°＝+1step,-5°＝-1step」を示す情報が格納され、ダイヤル操作子６を正方向に5°（+5°）回転させるごとに+1stepの変化を与え、逆方向に5°（-5°）回転させると-1stepの変化を与えるべきことを指定するようにされる。このようにして、操作子番号２に対応する操作命令内容としては、音量調整について、ダイヤル操作子６を、正方向に5°回転させるごとに音量を1ステップ分増加させ、逆方向に5°回転させるごとに音量を1ステップ分減少させるべきことを指示していることになる。
【００７２】
なお、上記図１２では、「単位操作量」において示される±1stepあたりに対応する操作量を回転角度により表しているが、これは、ダイヤル操作子６の操作量を分かりやすく捉えるための便宜でもあり、あくまでも一例である。例えばダイヤル操作子６の実体をポテンショメータ、可変抵抗器などとした場合には、操作量である回転角度を、抵抗値、電圧値の変化量として検知することになる。このことに基づき、キー／命令対応テーブルにおける「単位操作量」にて示す±1stepあたりの操作量としては、上記の抵抗値又は電圧値の変化量により表してもよい。
【００７３】
そして、第４の実施の形態にあって、操作制御部１４が上記のような内容のキー／命令対応テーブルＴＢ１を作成してメモリ部１５に対して保持させるのにあたっては、例えば第１の実施の形態に対応する図５の手順、若しくは第２の実施の形態に対応する図８及び図９の手順を実行するものとされればよい。
また、このことからすると、第４の実施の形態に対応しては、操作設定シート３のメモリ３２に保持される操作命令内容情報としては、図１２に示されるキー／命令対応テーブルの操作子番号ごとの操作命令内容情報と同様に、「命令」の内容を表すデータと、「単位操作量」を表すデータとを所定構造により格納して形成されるべきものとなる。そして、この構造を有する操作命令内容情報が、上記図５の手順による流れのなかでRFIDチップ２１から送出され、これを操作制御部１４が取得することで、図１２に示されるキー／命令対応テーブルＴＢ１を形成することが可能となるわけである。
【００７４】
図１３は、第４の実施の形態としての操作制御部１４が、ダイヤル操作子６に対して行われた操作に応答して命令コードを出力するための処理手順を示している。
先ず、操作制御部１４は、ステップＳ９０１により、複数あるダイヤル操作子６（６−１、６−２）のうちの何れかに対する操作が行われるのを待機しており、何れか１つのダイヤル操作子６に対する操作が行われたことを判別すると、ステップＳ９０２以降の手順に進む。
【００７５】
ステップＳ９０２においては、上記ステップＳ９０１に対応して入力されるダイヤル操作子６の絶対的回転角（電圧値、抵抗値）を示す検出信号を利用して、その変化量である操作量を求めて取得するようにされる。
【００７６】
そのうえで、続くステップＳ９０３においては、メモリ部１５に保持させているキー／命令対応テーブルＴＢ１にアクセスして、今回操作が行われたことを検知したダイヤル操作子に対応する操作子番号に対応して格納される操作命令内容の読み出しを実行する。このときに読み出される操作命令内容としては、先の説明から理解されるように、「命令」と「単位操作量」の情報により形成されるものとなっている。
【００７７】
続くステップＳ９０４では、上記ステップＳ９０３により読み出して取得した操作命令内容における「命令」の情報を参照して、その命令が何であるのかを認識しておくようにされる。また次のステップＳ９０５では、上記ステップＳ９０３により取得した操作命令内容における「単位操作量」の情報を参照するとともに、ステップＳ９０２にて取得した操作量とに基づいて、今回に得られた操作量に応じて可変すべきステップ数を示す、指示制御量を算出する。そして、ステップＳ９０６により指示制御量を含む命令コードを生成し、ステップＳ９０７により、この命令コードを機能ブロック１６に対して出力するようにされる。
【００７８】
例として、図１１（ｂ）に示されるようにして操作設定シート３が配置されている状態において、ステップＳ９０１にてダイヤル操作子６−１の操作があるものとして判別され、このときにステップＳ９０２にて取得された操作量が＋70°を示すものであったとする。すると、ステップＳ９０４によっては、先ず、操作命令内容としての「命令」の内容が「トラックの送り／戻し」であることが認識される。さらにステップＳ９０５によっては、指示制御量を求めるようにされるが、この場合には、単位操作量として＋30°＝1stepであるのに対して、取得した操作量が＋70°であるから、制御量としては、70／30＝2.3333・・・であることに基づき、その整数値を取って、「2」を求めるようにされる。そして、ステップＳ９０６、Ｓ９０７により、命令コードとして、トラックを２つ送るべきことを命令する命令コードを生成して出力するようにされる。この命令コードに応じて機能ブロック１６では、再生対象のトラックを２つ先に送るようにして動作することになる。
【００７９】
また、第４の実施の形態としての構成を、第３の実施の形態としてのキーアサイン及び命令コード出力の構成と組み合わせる場合には、図１３のステップＳ９０３に代えて、図１０のステップＳ８０２、Ｓ８０３に準じた処理を実行することで、操作が行われたダイヤル操作子６に対応するシート対応通信部１２に対して、操作命令内容情報を要求し、これを取得するようにされる。そして、このようにして取得した操作命令内容情報を利用して、ステップＳ９０４以降の手順を実行するものとされればよい。そして、このようにして第４の実施の形態を、第３の実施の形態に対して組み合わせることとした場合には、キー／命令対応テーブルＴＢ１を作成保持する必要はなくなるものである。
【００８０】
また、第４の実施の形態については、同じ１つの「命令」に対して、異なる「単位操作量」を設定した（操作命令内容情報を記憶させた）複数の操作設定シート３のセットを用意することとして、これらを使い分ける、あるいは併用するという利用態様を考えることができる。このような利用態様の一例を下記に挙げておく。
先ず、ダイヤル操作子６としては３つであることとする。そのうえで、これら３つのダイヤル操作子６に対応する操作設定シート３として、次の４つを用意する。
「命令」は「Track_skip」で、「単位操作量」は「+30°＝+1step,-30°＝-1step」であることを示す操作命令内容情報が記憶された操作設定シート（操作設定シート３-(1)）
「命令」は「Track_skip」で、「単位操作量」は「+5°＝+1step,-5°＝-1step」であることを示す操作命令内容情報が記憶された操作設定シート（操作設定シート３-(2)）
「命令」は「Volume」で、「単位操作量」は「+5°＝+1step,-5°＝-1step」であることを示す操作命令内容情報が記憶された操作設定シート（操作設定シート３-(3)）
「命令」は「Volume」で、「単位操作量」は「+1°＝+1step,-1°＝-1step」であることを示す操作命令内容情報が記憶された操作設定シート（操作設定シート３-(4)）
そしてユーザは、これらの４枚の操作設定シート３のうち、任意の３枚を選択して、３つのダイヤル操作子６のうちの任意のものに対応して取り付けるようにされる。例えば、そのユーザが、「トラック送り／戻し」の操作を行う頻度が高く、また、「トラック送り／戻し」の操作に関しては、おおざっぱに少ない回転操作量で多くのトラックの送り／戻しを行いたい場合と、細かに或る程度以上の回転操作量ごとに１つずつトラックの送り／戻しを行いたい場合とがあると考えたのであれば、３つのダイヤル操作子６ごとに対して、操作設定シート３-(1)、操作設定シート３-(2)、操作設定シート３-(3)を取り付けるようにされる。
あるいは、ユーザが、「音量調整」の操作を行う頻度が高く、また、「音量調整」の操作に関しては、粗く少ない回転操作量で比較的大きな音量変化を得たいとする場合と、細かに或る程度以上の回転操作量ごとに１ステップの音量変化を生じるようにしたい場合とがあると考えたのであれば、３つのダイヤル操作子６ごとに対して、操作設定シート３-(2)、操作設定シート３-(3)、操作設定シート３-(4)を取り付けるようにされる。このような利用態様により、例えばユーザの好みや、使用目的などに対して、細かに、また柔軟に対応することができる。
【００８１】
また、第４の実施の形態の変形例として、次のような構成を挙げておく。
上記した第４の実施の形態としての構成では、１つのダイヤル操作子６に対応する操作命令内容としては「命令」「単位操作量」の２つの情報により形成され、さらに、この「命令」「単位操作量」を有して成る操作命令内容情報を、操作設定シート３のメモリ３２に記憶させることとしている。
これに対して、第４の実施の形態の変形例としては、操作命令内容情報から「単位操作量」の情報を分離する。そして、先ず、第１又は第２の実施の形態のキーアサインの構成と組み合わせる場合には、操作設定シート３のメモリ３２に対しては、図６に示したキー／命令対応テーブルを作成するときの構成と同様に、「命令」の情報のみから成る操作命令内容情報を記憶させることとする。そして、分離された「単位操作量」については、操作制御部１４が不揮発性の記憶領域に保持しておくようにされる、即ち記録再生装置１００本体側にて記憶保持しておくようにされる。
【００８２】
このような変形例の構成（第１又は第２の変形例と組み合わせた場合）に対応して、図１１（ｂ）の操作設定シート３の取り付けが行われたとする場合の、キー／命令対応テーブルＴＢ１の内容例を図１４（ａ）に示す。例えばこの図１４（ａ）と、先の図１２（ｂ）とを比較して分かるように、変形例に対応する図１４（ａ）では、操作子番号１、２ごとに対応付けられる操作命令内容は、それぞれ「Track_skip」、「Volume」となっており、「命令」の内容を表す情報のみを格納している。
一方、「単位操作量」の情報は、操作制御部１４がアクセス可能な不揮発性の記憶領域において、例えば図１４（ｂ）に示されるようにし、単位操作量テーブルとして記憶保持されるようにする。この単位操作量テーブルは、図示するようにして、「命令」の内容に対して、「単位操作量」を対応付けた構造を有するものとされ、 [Track_skip]の「命令」に対応しては、「単位操作量」として[+30°＝+1step, -30°＝-1step]を表す情報を格納し、[Volume]の「命令」に対応して、「単位操作量」として[+5°＝+1step, -5°＝-1step]を表す情報を格納するようにされる。
【００８３】
そして、この変形例が適用される場合の、操作に応答した操作制御部１４の処理としては、図１３のステップＳ９０５の手順を実行する際に、図１４（ｂ）の単位操作量テーブルにアクセスして、ステップＳ９０４にて認識した「命令」の内容に対応して格納される「単位操作量」の情報を取得し、これを利用して指示制御量を算出するようにされる。
また、この第４の実施の形態の変形例を、第３の実施の形態のキーアサイン及び命令コード出力の構成と組み合わせる場合には、図１３の処理の実行時において、ステップＳ９０３に代えて、図１０のステップＳ８０２、Ｓ８０３に準じた処理を実行することで、RFIDチップ２１から送信される操作命令内容情報をシート対応通信部１２経由で入力して取得し、ステップＳ９０４では、このようにして取得した操作命令内容情報が示す「命令」の内容を認識するようにされる。ステップＳ９０５では、上記と同様にして、図１４（ｂ）の単位操作量テーブルにアクセスして「単位操作量」の情報を取得したうえで、指示制御量を算出するようにされる。
【００８４】
また、可変抵抗器などでは、回転角と抵抗値（制御値）との関係を示す曲線(ここではフェーダカーブという)の特性について、用途に応じて適切なものを選択することが好ましい、あるいは必要となる場合がある。
そこで、第４の実施の形態の他の変形例として、操作命令内容情報によりフェーダカーブが設定されるようにした構成を挙げておくこととする。これにより、ダイヤル操作子６のフェーダカーブを、操作命令内容情報により指定することができる。
フェーダカーブは、操作量（回転角）と、制御される値（制御値：例えば音量の値）の関係を非線形にするものとして捉えることができる。ここで、ダイヤル操作子６の回転角（ここでは、所定の回転角度の基準位置からの絶対角度とする）をＲとし、制御値として音量の値をＶとする。そのうえで、先ず、「単位操作量」が「+5°＝+1step,-5°＝-1step」であることとして、フェーダカーブとして、線形の特性を持たせることとした場合には、定数Ｃを用いて、
Ｖ＝0.2×Ｒ＋Ｃ・・・（式１）
となる式により表現できる。
これに対して、フェーダカーブとして、非線形の特性を与えることとした場合には、例えば、より一般的な関数f(ｘ)を用いて、これにダイヤル操作子６の回転角Ｒを代入して、
Ｖ＝f(Ｒ)・・・（式２）
という式により表現すればよいことになる。
そして、この実施の形態としては、操作命令内容情報に上記の関数f(ｘ)を、「フェーダカーブ」の項目として含めるようにされる。なお、この「フェーダカーブ」の情報の実際としては、例えば、操作制御部１４により関数f(ｘ)の演算を実行させるためのプログラムなどとしての形式内容を有するようにされればよい。そして、ダイヤル操作子６に対する操作が行われたときには、操作制御部１４は、操作命令内容情報に基づいて認識された「命令」、「単位操作量」、及び「単位操作量」を利用して、上記（式２）としての演算を実行してＶの値を算出する。そして、求められたＶの値に応じた音量の変化が生じるように、機能ブロック１６に対して命令コードを出力するようにされる。
なお、この他の変形例は、上記の第４の実施の形態において先に説明した変形例にも適用できるものである。つまり、例えば、図１４（ｂ）の単位操作量テーブルに準じて、「フェーダカーブ」のデータを操作制御部１４側で保持するようにされる。
【００８５】
なお、上記の第４の実施の形態においては、操作子がダイヤル型式（ロータリー型）である場合を例に挙げているが、例えばフェーダーなどともいわれるリニア型の操作子についても同様に適用が可能である。
【００８６】
また、自明のことではあるが、本願発明の下では、操作子の数と、これに応じたシート収納部、リーダデバイス、及び操作設定シート３の数などは、これまでの第１〜第４の実施の形態により図示した数に限定されるものではない。
また、これとともに、例えば同じ操作パネル上において、図１に示したようなボタンキーと、図１１に示したようなダイヤル操作子とが混在するようにされたうえで、これらの操作子全般について、操作設定シートの取り付けによる任意なキーアサインが行えるように構成してもよい。この場合において、例えば、再生、停止、記録などの、通常はボタンキーなどに対応させる操作命令内容を、ダイヤル操作子などの操作量が可変の操作子に割り当てることも可能である。例えば、一定以上の操作量が得られたときに、再生、停止、記録の命令コードが発行されるように構成すればよい。
【００８７】
また、実施の形態では、操作設定シート３としては、例えば樹脂などによる一定の厚さを有したシート状のものであるとしているが、その形状、材質などは任意に変更されて良い。ただし、これまでにも図示しているように、操作設定シート３には、割り当てられた操作命令内容が視覚的にユーザに把握されるようにするために、操作命令内容を示すマークを表示する機能も与えるようにされている。従って、操作設定シート３としては、このような操作命令内容を示すマークがユーザにとって見やすいようなの外形形状などとすることが好ましいといえる。また、操作命令内容の表示に関しては、図１などに示したマーク（記号、シンボル）などのほか、文字とされてもよく、また、マークと文字の組み合わせなどとされてもよい。つまりは、ユーザにとって視覚的に操作命令内容を把握できるデザインであれば、特に限定されるものではない。また、操作設定シートに相当する部材を、リーダデバイスと通信可能な位置に対応して取り付け／取り外しするための、操作設定シート（操作命令内容割当部品）と部品取付部としての部位とについての機構、構造などについても、実施の形態以外で多様に考えることができる。例えば、操作設定シートに相当する部材の裏側に粘着剤を貼り付け、この粘着剤の粘着効果により、しかるべき取り付け部への取り付けが行えるようにすることも考えられる。例えば、操作設定シート３における操作命令内容の表示を点字により行うようにすることも考えられる。この場合には、例えばシート収納部に対して取り付けが行われた状態でも、操作設定シート面上の点字に触れることができるように、操作設定シート３とシート収納部の形状、構造としておくようにすべきことになる。
【００８８】
また、本願発明の下では、必ずしも、各１つの操作子、シート収納部、及びリーダデバイスから成るユニットの組数と、操作設定シートの数とが一致する必要性も無い。
例として、操作子、シート収納部、及びリーダデバイスから成るユニットが１つであるのに対して、操作設定シートについては、異なる操作命令内容が設定された複数のものが用意されているような構成であってもよい。このような構成では、１つの操作子についての機能（操作命令内容）を、複数の操作設定シートのうちから任意のものを選択してシート収納部に収納して取り付けることで、手軽に変更することが可能になるものである。なお、先に説明した、３つのダイヤル操作子６に対して４つの操作設定シート３を用意することとした、第４の実施の形態における利用態様例も、このような考え方の範疇に入るものである。
【００８９】
また、上記実施の形態では、本願発明に基づく操作入力システム、操作入力装置を、記録再生装置に適用しているが、他の各種装置、電子機器に幅広く適用できる。
また、上記実施の形態では、記録再生装置などの装置の本体などに操作子が設けられている構成を挙げているが、操作子、シート収納部、及びリーダデバイスが備えられる操作入力装置部と、図４の機能ブロック１６に対応する本体装置部とが、それぞれ個別の装置とされるようなシステム構成とされてもよいものである。このような構成の例としては、例えば上記操作入力装置部がリモートコントローラとされ、本体装置部が、このリモートコントローラによりコントロールされる電子機器であるものを挙げることができる。
【００９０】
また、これまでに説明した図５、図７、図８、図９、図１０、図１３などの各フローチャートに示される処理手順は、その実行主体であるRFIDチップ２１における制御部３３を形成するＣＰＵ、若しくは、記録再生装置１００においてシート対応通信部１２、操作制御部１４の機能を実現するために制御処理を実行するＣＰＵなどが、所定の記憶領域に保持させたプログラムを実行することで実現されるものとしてみることができる。
このようなプログラムは、RFIDチップ２１の場合であれば、製造時において、制御部３３内のＲＯＭなどに対して書き込んで記憶させるほか、リーダ／ライタを使用して書き込みを行うことも可能とされる。また、記録再生装置１００のＣＰＵが実行するプログラムも、例えばＲＯＭに対して製造時などに書き込んで記憶させるほか、リムーバブルの記憶媒体に記憶させておいたうえで、この記憶媒体からインストールさせるようにして記録再生装置１００におけるしかるべき記憶装置に記憶させることが考えられる。また、ネットワーク上のサーバなどにおける記憶装置に記憶させておいたうえで、記録再生装置１００にネットワーク機能を持たせることとし、サーバからダウンロードして取得し、所定の記憶装置にインストールさせることも考えられる。
【図面の簡単な説明】
【００９１】
【図１】本発明に基づく操作入力システムの構成が適用される実施の形態としての記録再生装置の操作パネルの一部外観例を示す図である。
【図２】図１の操作パネルに設けられるボタンキー部分の構造例を示す図である。
【図３】実施の形態の操作設定シート内に備えられるRFIDユニット部の内部構成例を示すブロック図である。
【図４】実施の形態の記録再生装置についての操作入力に関連した部位を主体とする構成を示すブロック図である。
【図５】第１の実施の形態に対応して、操作制御部がキーアサイン内容を認識するための処理手順例を示すフローチャートである。
【図６】図１に示す操作パネルと操作設定シートの態様に対応するキー／命令対応テーブルの内容例を示す図である。
【図７】第１の実施の形態に対応して、操作制御部が、操作に応答して命令コードを出力するための処理手順例を示すフローチャートである。
【図８】第２の実施の形態に対応して、操作制御部がキーアサイン内容を認識するための処理手順例を示すフローチャートである。
【図９】第２の実施の形態において、図８の操作制御部の手順に応答して、シート対応通信部とRFIDチップとが実行する通信の処理手順例を示すフローチャートである。
【図１０】第３の実施の形態に対応して、操作制御部が、操作に応答して命令コードを出力するまでの処理手順例を示すフローチャートである。
【図１１】第４の実施の形態に対応する、操作パネルについての他の外観例を示す図である。
【図１２】第４の実施の形態に対応するキー／命令対応テーブルの内容例を示す図である。
【図１３】第４の実施の形態に対応して、操作制御部が、操作に応答して命令コードを出力するための処理手順例を示すフローチャートである。
【図１４】第４の実施の形態の変形例に対応するキー／命令対応テーブルの内容例と、単位操作量テーブルの内容例とを示す図である。
【符号の説明】
【００９２】
１  操作パネル、２（２−１、２−２、２−３）  （第１〜第３）ボタンキー、２ａ  キー本体部、２ｂ  シート収納部、２ｃ  開口部、２ｄ  スリット、１１（１１−１、１１−２、１１−３）  アンテナ、１２（１２−１、１２−２、１２−３）  シート対応通信部、１３（１３−１、１３−２、１３−３）  検出器、１４  操作制御部、１５  メモリ部、１６  機能ブロック、１７  更新キー、２０  RFIDユニット部、２１  RFIDチップ、２２  アンテナ、３１  通信部、３２  メモリ、３３  制御部
【図１】
2008171188.tif 000003
【図２】
2008171188.tif 000004
【図３】
2008171188.tif 000005
【図４】
2008171188.tif 000006
【図５】
2008171188.tif 000007
【図６】
2008171188.tif 000008
【図７】
2008171188.tif 000009
【図８】
2008171188.tif 000010
【図９】
2008171188.tif 000011
【図１０】
2008171188.tif 000012
【図１１】
2008171188.tif 000013
【図１２】
2008171188.tif 000014
【図１３】
2008171188.tif 000015
【図１４】
2008171188.tif 000016